(57)【要約】【課題】  本発明は、表示する設定項目が異なる設定画面を有し、簡単に操作可能な複合機能画像形成装置、画面表示モード設定方法、プログラム及び記録媒体を提供することを目的とする。【解決手段】  複合機能画像形成装置１００の機能を利用するための設定項目の値を設定できる通常画面表示モードと、該通常画面表示モードと比較して簡単に操作できる簡単画面表示モードとを切り替える画面表示モード切替手段１２を有する複合機能画像形成装置であって、当該簡単画面表示モードにおいて、所定の設定項目の値に対して設定を可能としたことを特徴とする。【選択図】  図１
2007060033.tif 000002
【特許請求の範囲】
【請求項１】
当該複合機能画像形成装置の機能を利用するための設定項目の値を設定できる通常画面表示モードと、該通常画面表示モードと比較して簡単に操作できる簡単画面表示モードと、を切り替える画面表示モード切替手段を有する複合機能画像形成装置であって、
前記簡単画面表示モードは、所定の設定項目の値に対して設定を可能とした、
ことを特徴とする複合機能画像形成装置。
【請求項２】
前記簡単画面表示モードは、前記所定の設定項目以外の設定項目の値に対しては固定値とすることを特徴とする請求項１に記載の複合機能画像形成装置。
【請求項３】
電源断時に使用していた画面表示モードを記憶する画面表示モード記憶手段を有し、
電源断後の電源再投入時の画面表示モードは、前記画面表示モード記憶手段により記憶されている前記電源断時に使用していた画面表示モードであることを特徴とする請求項１又は２に記載の複合機能画像形成装置。
【請求項４】
前記通常画面表示モードの設定項目の値を記憶する第１記憶領域と、
前記簡単画面表示モードの設定項目の値を記憶する第２記憶領域と、を有する
ことを特徴とする請求項３に記載の複合機能画像形成装置。
【請求項５】
当該複合機能画像形成装置の機能を利用するための設定項目を設定できる通常画面表示モードと、該通常画面表示モードと比較して簡単に操作できる簡単画面表示モードと、を有する複合機能画像形成装置の画面表示モード設定方法において、
電源断時に使用していた画面表示モードを記憶する画面表示モード記憶ステップと、
電源断後の電源再投入時の画面表示モードを、前記画面表示モード記憶ステップにおいて記憶されている前記電源断時に使用していた画面表示モードに設定する画面表示モード設定ステップと、
を有することを特徴とする画面表示モード設定方法。
【請求項６】
当該複合機能画像形成装置の機能を利用するための設定項目の値を設定できる通常画面表示モードと、該通常画面表示モードと比較して簡単に操作できる簡単画面表示モードと、を有する複合機能画像形成装置の画面表示に係る処理をコンピュータに実行させるプログラムであって、
電源断時に使用していた画面表示モードを記憶する画面表示モード記憶処理と、
電源断後の電源再投入時の画面表示モードを、前記画面表示モード記憶ステップにおいて記憶されている前記電源断時に使用していた画面表示モードに設定する画面表示モード設定処理と、
をコンピュータに実行させるプログラム。
【請求項７】
請求項６に記載のプログラムを記録したコンピュータ読み取り可能な記録媒体。
【発明の詳細な説明】
【技術分野】
【０００１】
本発明は、複合機能画像形成装置、画面表示モード設定方法、プログラム及び記録媒体に関し、特に、通常画面表示モードと、所定の設定項目の値に対して設定を可能とした簡単画面表示モードとを切り替える複合機能画像形成装置、画面表示モード設定方法、プログラム及び記録媒体に関する。
【背景技術】
【０００２】
画像形成装置において、スキャニングにより電子化した画像をネットワークを介して送信し、画像形成装置の印刷機能により紙媒体に印刷し、又は、主記憶装置若しくは副記憶装置に蓄積することが一般的に行われている。当該画像形成装置の用途もオフィスでのビジネスユースから家庭での個人ユースまで多岐にわたり、様々なユーザーに使用されている。そのため、画像形成装置を操作するための設定項目を表示する設定表示画面は、万人とまでは言わずとも多くのユーザーにとって使い易いものでなければならない。しかし、近年の画像形成装置の多機能化に伴い、設定表示画面はますます複雑なものとなってきており、関連知識のないユーザーにとっては、画像形成装置が提供する様々な機能を適切に利用することが困難な場合もある。
【０００３】
このような問題に対し、設定可能な機能を限定した設定画面と、全ての機能を設定できる設定画面とを切り替え自在に備える画像形成装置が存在する（例えば、特許文献１参照。）。特許文献１に記載された画像形成装置は、各設定画面を切り替えできることに加え、起動時の設定画面が固定されるのを避けるため、各設定画面の使用回数を画像形成装置が記憶して使用回数が多いほうの設定画面を次回起動時の初期設定画面として用いるようにする。また、ユーザーが使用する設定画面を階層的に構成する画像形成装置も存在する（例えば、特許文献２参照。）。特許文献２に記載の画像形成装置は、一般的に使用される機能を表示する基本設定画面、全ての機能を表示する第１詳細設定画面及び設定可能な機能を限定した第２詳細設定画面を備え、ユーザーが第１詳細設定画面と第２詳細設定画面とを切り替えられるようにする。
【特許文献１】特開平９−３０５０６３号公報
【特許文献２】特開２００５−７４７１５号公報
【発明の開示】
【発明が解決しようとする課題】
【０００４】
しかしながら、特許文献１に記載された画像形成装置は、２つの設定画面の使用回数によって画像形成装置が次回起動時に初期表示する設定画面を自動的に切り替えてしまうため、電源遮断時の設定画面を継続して使用したい場合など使用回数の少ない方の設定画面を初期表示させたい場合に対応できない。また、特許文献２に記載された画像形成装置は、基本設定画面が固定されているため使用しにくい。
【０００５】
そこで、本発明は、表示する設定項目が異なる設定画面を有し、簡単に操作可能な複合機能画像形成装置、画面表示モード設定方法、プログラム及び記録媒体を提供することを目的とする。
【課題を解決するための手段】
【０００６】
上記目的を達成するために、本発明は、当該複合機能画像形成装置の機能を利用するための設定項目の値を設定できる通常画面表示モードと、該通常画面表示モードと比較して簡単に操作できる簡単画面表示モードとを切り替える画面表示モード切替手段を有する複合機能画像形成装置であって、当該簡単画面表示モードにおいて、所定の設定項目の値に対して設定を可能としたことを特徴とする。
【０００７】
また、本発明は、当該簡単画面表示モードにおいて、当該所定の設定項目以外の設定項目の値に対しては固定値とすることを特徴とする。
【０００８】
また、本発明は、電源断時に使用していた画面表示モードを記憶する画面表示モード記憶手段を有し、電源断後の電源再投入時の画面表示モードは、当該画面表示モード記憶手段により記憶されている当該電源断時に使用していた画面表示モードであることを特徴とする。
【０００９】
また、本発明は、当該通常画面表示モードの設定項目の値を記憶する第１記憶領域と、当該簡単画面表示モードの設定項目の値を記憶する第２記憶領域とを有することを特徴とする。
【００１０】
また、本発明は、当該複合機能画像形成装置の機能を利用するための設定項目を設定できる通常画面表示モードと、該通常画面表示モードと比較して簡単に操作できる簡単画面表示モードとを有する複合機能画像形成装置の画面表示モード設定方法であって、電源断時に使用していた画面表示モードを記憶する画面表示モード記憶ステップと、電源断後の電源再投入時の画面表示モードを前記画面表示モード記憶ステップにおいて記憶されている前記電源断時に使用していた画面表示モードに設定する画面表示モード設定ステップとを有することを特徴とする。
【００１１】
また、本発明は、当該複合機能画像形成装置の機能を利用するための設定項目の値を設定できる通常画面表示モードと、該通常画面表示モードと比較して簡単に操作できる簡単画面表示モードとを有する複合機能画像形成装置の画面表示に係る処理をコンピュータに実行させるプログラムであって、電源断時に使用していた画面表示モードを記憶する画面表示モード記憶処理と、電源断後の電源再投入時の画面表示モードを当該画面表示モード記憶ステップにおいて記憶されている当該電源断時に使用していた画面表示モードに設定する画面表示モード設定処理とをコンピュータに実行させることを特徴とする。
【００１２】
また、本発明は、当該プログラムを記録したコンピュータ読み取り可能な記録媒体であることを特徴とする。
【発明の効果】
【００１３】
本発明により、表示する設定項目が異なる設定画面を有し、簡単に操作可能な複合機能画像形成装置、画面表示モード設定方法、プログラム及び記録媒体を提供することが可能となる。
【発明を実施するための最良の形態】
【００１４】
図１は、本発明に従った複合機能画像形成装置の構成例を示す。図１の複合画像形成装置１００は、制御部１、ネットワーク通信部２、読み取り部３、原稿搬送部４、印刷部５、蓄積部６及び操作部７から構成される。ネットワーク通信部２は、外部機器（図示せず。）との接続を行いファクシミリの送受信、ホストＰＣ（Ｐｅｒｓｏｎａｌ  Ｃｏｍｐｕｔｅｒ）とのデータ通信を実行する。読み取り部３は、紙媒体などの原稿を読み取り画像データを形成するスキャナ機能を提供する。原稿搬送部４は、紙媒体などの原稿を読み取り部３に給紙し、画像データ取得後の当該原稿を排紙する。印刷部５は、当該装置１００が保持する画像データを紙媒体などに印刷するプリンタ機能を提供する。蓄積部６は、読み取り部３で取得した画像データなどを保持する。制御部１は、ネットワーク通信部２を介して蓄積部６に保持されるデータを外部機器へ転送し、或いは、そのデータを印刷部５を介して印刷する。また、蓄積部６に保持されるデータは、制御部１により、参照、削除、複製、又は編集が可能である。操作部７は、タッチパネル、ハードボタン、表示パネルなどから構成され、ユーザーと複合機能画像形成装置１００との間のマンマシンインターフェースを実現する。
【００１５】
制御部１は、ＣＰＵ８、ＲＯＭ９、フラッシュメモリ１０及びＲＡＭ１１から構成される。制御部１は、ＣＰＵ８にＲＯＭ９又はフラッシュメモリ１０に格納された制御プログラムや画像処理プログラムを実行させ、読み取り部３、原稿搬送部４及び印刷部５などのデバイスを制御して作像動作を行う。また、制御部１は、ＣＰＵ８にＲＯＭ９又はフラッシュメモリ１０に格納されたプログラムをＲＡＭ１０に展開させ、画面表示モード切替手段１２及び画面表示モード記憶手段１３を実行させる。なお、フラッシュメモリ１０などの不揮発性メモリに格納されているプログラムは外部から更新することが可能である。
【００１６】
図２は、本発明に従った複合機能画像形成装置の通常画面表示モードの画面を表示する操作部の例である。操作部７は、表示パネル２０、ファンクションキー２１１乃至２１５、電源ボタン２２、画面表示切替ボタン２３から構成される。表示パネル２０は、通常画面表示モード又は簡単画面表示モードの画面を表示するタッチパネルＬＣＤ（Ｌｉｑｕｉｄ  Ｃｒｙｓｔａｌ  Ｄｉｓｐｌａｙ）である。ファンクションキー２１は、コピー２１１、ドキュメントボックス２１２、ファックス２１３、プリンタ２１４及びスキャナ２１５にそれぞれ対応し、選択されたファンクションのＬＥＤ（Ｌｉｇｈｔ  Ｅｍｉｔｔｉｎｇ  Ｄｉｏｄｅ）を点灯させる。電源ボタン２２は、複合機能画像形成装置の電源スイッチである。画面表示切替ボタン２３は、通常画面表示モードと簡単画面表示モードとを切り替える。
【００１７】
表示パネル２０に表示される通常画面表示モードの画面は、トップエリア３０、センターエリア３１、サイドエリア３２及びボトムエリア３３で構成される。トップエリア３０は、「読み取りできます。」などの装置１００の状態、メール送信などを行うファイルを検索する機能を呼び出すための検索ボタン及び選択されているファイルの内容を確認するためのプレビューボタンを表示する。センターエリア３１は、「メール」タブ、「ファイル」タブを表示し、それぞれの詳細情報の表示を切り替えできるようにする。「メール」タブでは、送信先のリストや選択されている送信先などが表示される。「ファイル」タブでも同様に、ファイルリストや選択されているファイルなどが表示される。サイドエリア３２は、現在選択されているファンクションであるスキャナ機能を利用するための設定項目を表示する。「読み取り条件」は、読み取りを行う原稿をどのような条件で電子化するかの設定項目ボタンである。「濃度」は、原稿を読み取った結果の画像における色の濃さの設定項目ボタンである。「原稿送り」は自動原稿搬送装置（以下、「ＡＤＦ」（Ａｕｔｏｍａｔｉｃ  Ｄｏｃｕｍｅｎｔ  Ｆｅｅｄｅｒ）という。）の搬送方法の設定項目であり、原稿の片面を読み取るか、或いは両面を読み取るかを設定できる。「ファイル形式」は、読み取った画像データファイルのフォーマットの設定項目ボタンである。ボトムエリア３３は、「件名」、「本文」、「送信者」及び「受信確認」のボタンを表示する。これらは、電子メールに画像データを添付して送信する場合の詳細な設定項目である。
【００１８】
図３は、通常画面表示モードで表示される「読み取り条件」及び「原稿送り」の両設定項目の表示例である。「読み取り条件」の設定項目には、図３（Ａ）の「原稿種類」、図３（Ｂ）の「読み取りサイズ」、図３（Ｃ）の「解像度」及び図３（Ｄ）の「編集」の４つの副設定項目があり、４つの副設定項目がそれぞれタブ４１乃至４４に対応して表示される。図３（Ｅ）の「原稿送り」の設定項目には副設定項目がない。設定項目は、図２の対応するボタンを押下することでウィンドウ４０がポップアップし、そのウィンドウ４０内部に表示される。図３において、黒の反転領域は選択されている設定項目の内容を示す。例えば図３（Ｅ）の「原稿送り」の設定項目の内容には、片面又は両面の選択、両面選択時の原稿開きが上下開きか左右開きかの選択、両面選択時の最終原稿が表面か裏面かの選択、スタンプの利用のオンオフ、大量原稿のオンオフがあり、それぞれ、両面、左右開き、両面、オフ、オフが選択されている。これら設定項目及び副設定項目の各内容には初期設定値が設定されており、ユーザーは初期設定値を別の設定値に変更できる。なお、当該変更は電源断により消去されるような一時的なものであってもよく、電源断後も消去されずに保持されるものであってもよい。このように通常表示画面モードでは、例えばスキャナ機能を選択している場合、読み取りを行うときの詳細な条件や、読み取り後のデータを送信するときの詳細な設定を行うことが可能である。
【００１９】
図４は、本発明に従った複合機能画像形成装置の簡単画面表示モードの画面を表示する操作部の例である。通常画面表示モードにおいて、図２の画面表示切替ボタン２３を押下すると、この画面が表示される。表示パネル２０以外は、図２と同様である。
【００２０】
表示パネル２０に表示される簡単画面表示モードの画面は、トップエリア３０、センターエリア３１及びサイドエリア３２で構成され、通常画面表示モードの画面では表示されるボトムエリア３３が省略されている。また、簡単画面表示モードの画面では、表示される文字やボタンのサイズが大きく、見易いものとなっている。トップエリア３０は、「読み取りできます。」などの装置１００の状態のみを表示し、通常画面表示モードの画面で表示される検索ボタン及びプレビューボタンは省略される。センターエリア３１は、通常画面表示モードの画面と同様、「メール」タブ、「ファイル」タブを表示し、それぞれの詳細情報の表示を切り替えできるようにするが、「メール」タブでの送信先のリストや「ファイル」タブでのファイルリストの一画面で表示される数が低減されている。表示文字等を大きくしたためである。同様に、サイドエリア３２でも、表示される設定項目の数が低減されている。従って、表示パネル２０から設定できる項目は、「読み取り条件」、「ファイル形式」、「原稿送り」及び「送信先」に限定されている。また、「原稿送り」は、「片面」又は「両面」のみの選択となっている。
【００２１】
表１は、通常画面表示モード及び簡単画面表示モードのそれぞれで設定可能な設定項目を示す。例えば、「読み取り条件：原稿種類」は、通常画面表示モードでは、「白黒：文字」、「白黒：文字・写真」、「白黒：写真」、「白黒：グレースケール」、「フルカラー：文字・写真」、「フルカラー：印画紙写真」又は「自動カラー」の７設定から選択が可能であるが、簡単画面表示モードでは、「白黒：文字」、「フルカラー：写真」又は「自動カラー」の３設定からしか選択ができない。「読み取り条件：解像度」は、通常画面表示モード及び簡単画面表示モードの双方で、５つの解像度について選択が可能である。「読み取り条件：原稿サイズ」は、通常画面表示モードでは、「自動サイズ」を含む複数の選択肢があるが、簡単画面表示モードでは、「自動サイズ」に固定される。「読み取り条件：編集」の「枠消去」は、通常画面表示モードではオン又はオフの設定が可能であるが、簡単画面表示モードではオフに固定される。「原稿送り」の「スタンプ」又は「大量原稿」においても同様である。また、「原稿送り」の「片面・両面」で「両面」が選択された場合、通常画面表示モードではさらに、「最終原稿」を「片面」又は「両面」の何れかに設定できるが、簡単画面表示モードでは、「原稿送り」の「片面・両面」で「両面」を選択すると、「最終原稿」は「両面」に自動的に設定される。「原稿開き」についても同様である。
【００２２】
【表１】
2007060033.tif 000003
図５は、簡単画面表示モードで表示される「読み取り条件」の設定項目の表示例である。黒の反転領域は、選択されていることを示す。通常画面表示モードでは、４画面で構成されていた「読み取り条件」の設定項目が、簡単画面表示モードでは１画面に集約されている。「読み取り条件：原稿種類」は、設定できる内容が７項目から３項目に限定されている。これらの限定は表１に対応するものである。また、「読み取り条件：読み取りサイズ」、「読み取り条件：編集」など通常画面表示モードでは設定可能であった設定項目が表示されていない。通常画面表示モードでは設定可能であったが、簡単画面表示モードでは自動的に所定の値に設定されるからである。例えば、「読み取り条件：原稿サイズ」は「自動サイズ」となり、装置１００のセンサ（図示せず。）で検知した原稿サイズが自動的に原稿サイズとして設定される。また、「原稿送り」が「両面」である場合に設定が必要となる「最終原稿」、「原稿開き」についてはそれぞれ「両面」、「左右開き」となるなど、より一般的な或いは汎用性の高い設定が行われる。さらに、例えば「枠消去」、「スタンプ」又は「大量原稿」など、設定項目のうちオン又はオフを選択するものについてはオフが自動的に設定される。付加的な機能だからである。このように自動的に設定される設定項目は、画面表示されず設定変更もできない。なお、自動的に設定される値は、通常画面表示モードで設定されていた値と同じ値であってもよく、異なるものであってもよい。また、自動的に設定される値であっても、管理者権限を有する者による別の手段を介して設定変更が行われてもよい。
【００２３】
図６は、フラッシュメモリ１０内に記憶される設定項目の構成例を示す。フラッシュメモリ１０は、使用モード識別領域５０、通常画面表示モード用領域６０及び簡単画面表示モード用領域７０を有する。使用モード識別領域５０は、現在使用されている画面表示モードが何であるかを記憶する。「使用モード：通常画面表示モード」５１は、現在使用されている画面表示モードが通常画面表示モードであることを示す。領域６０及び７０は、同じ構造を有しており、それぞれ、例えば「読み取り条件：原稿種類」６１及び７１、「読み取り条件：解像度」６２及び７２、「読み取り条件：読み取りサイズ」６３及び７３、並びに「原稿送り：大量原稿」６４及び７４を有する。これにより、通常画面表示モードと簡単画面表示モードとで独立して設定を行うことが可能となる。また、通常画面表示モード用領域６０と簡単画面表示モード用領域７０とは構造が同一であるため、簡単画面表示モードで現在表示されていない設定項目を設定可能なように新しく追加して表示することを容易に行うことができる。新しく記憶領域を割り当てる必要がないからである。なお、記憶領域を有効利用するために、簡単画面表示モード用領域を通常画面表示モードよりも小さくし、又は、一部を共有することも可能であり、通常画面表示モード領域又は簡単画面表示モード領域を複数有することも可能である。
【００２４】
図７は、本発明において画面表示切替ボタン２３を押下したときの流れを示すフローチャートである。最初に画面表示モード切替手段１２は、画面表示が通常画面表示モードであるか簡単画面表示モードであるかを判断する（ステップＳ１）。通常画面表示モードの場合、画面表示モード切替手段１２は、画面表示モード記憶手段１３に今まで使用していた通常画面表示モードの設定項目の内容をフラッシュメモリ１０の通常画面表示モード用領域６０にある各設定項目６１乃至６４などに記憶させ（ステップＳ２）、使用モード識別領域５０の「使用モード」５１を「簡単画面表示モード」に切り替え、その後、フラッシュメモリ１０の簡単画面表示モード用領域７０にある各設定項目７１乃至７４などを読み込んで簡単画面表示モードに移行させる（ステップＳ３）。一方、簡単画面表示モードの場合、画面表示モード切替手段１２は、画面表示モード記憶手段１３に今まで使用していた簡単画面表示モードの設定項目の内容をフラッシュメモリ１０の簡単画面表示モード用領域７０にある各設定項目７１乃至７４などに記憶させ（ステップＳ４）、画面表示モード切替手段１２が使用モード識別領域５０の「使用モード」５１を「通常画面表示モード」に切り替え、フラッシュメモリ１０の通常画面表示モード用領域６０にある各設定項目６１乃至６４などを読み込んで通常画面表示モードに移行させる（ステップＳ５）。なお、フラッシュメモリへの記憶（ステップＳ２又はステップＳ４）は、各画面表示モードにおいて設定項目が変更されたときに行われてもよい。
【００２５】
図８は、本発明に従い、電源断後の再起動時に画面表示モードを設定する方法の例を示すフローチャートである。装置１００はまず、フラッシュメモリ１０の使用モード識別領域５０にある「使用モード」５１の値を参照し（ステップＳ１１）、電源断時に使用していた画面表示モードが何であったのかを判断する（ステップＳ１２）。「使用モード」５１が通常画面表示モードであった場合、装置１００は、フラッシュメモリ１０の通常画面表示モード用領域６０にある設定項目の値６１乃至６４などを読み込み、これらに基づいて通常画面表示モードを再構築する（ステップＳ１３）。一方、「使用モード」５１が簡単画面表示モードであった場合、装置１００は、フラッシュメモリ１０の簡単画面表示モード用領域７０にある設定項目の値７１乃至７４などを読み込み、これらに基づいて簡単画面表示モードを再構築する（ステップＳ１４）。
【００２６】
このように、本発明は、通常画面表示モードと簡単画面表示モードとの切り替えを可能にすることにより、ユーザーが設定できる設定項目を限定することができ、必要十分な設定項目を備えた分かり易いユーザーインターフェースを持つ画像形成装置を提供することができる。
【００２７】
また、本発明は、簡単画面表示モードでは設定できない設定項目に所定の値を予め設定しておくことにより、ユーザーに面倒な設定を強いることなく、かつ、ユーザーに不利益を及ぼさない範囲で、付加的な機能を利用できる画像形成装置を提供することができる。
【００２８】
また、本発明は、通常画面表示モード及び簡単画面表示モードの何れを使用しているかを記憶しておくことにより、電源断の際に使用していた画面表示モードを電源断後の再起動時に利用する画像形成装置を提供することができる。これにより、ユーザーは、画面表示モードの切り替えを要することなく、電源断の直前に使用していた画面表示モードを電源断後の再起動時に使用することができ、初期表示される設定画面がその使用回数に影響されることはない。
【００２９】
また、本発明は、通常画面表示モード及び簡単画面表示モードの設定項目の値をそれぞれ別々の不揮発性メモリの領域に記憶することにより、相互に影響を与えることなくそれぞれの画面表示モードの利用を可能とする画像形成装置を提供する。
【図面の簡単な説明】
【００３０】
【図１】本発明に従った複合機能画像形成装置の構成例を示すブロック図である。
【図２】本発明に従った複合機能画像形成装置の通常画面表示モードの画面を表示する操作部の例である。
【図３】通常画面表示モードで表示される「読み取り条件」及び「原稿送り」の両設定項目の表示例である。
【図４】本発明に従った複合機能画像形成装置の簡単画面表示モードの画面を表示する操作部の例である。
【図５】簡単画面表示モードで表示される「読み取り条件」の設定項目の表示例である。
【図６】フラッシュメモリ内に記憶される設定項目の構成例を示す。
【図７】本発明において画面表示切替ボタンを押下したときの流れを示すフローチャートである。
【図８】本発明に従い電源断後の再起動時に画面表示モードを設定する方法の例を示すフローチャートである。
【符号の説明】
【００３１】
１      制御部
２      ネットワーク通信部
３      読み取り部
４      原稿搬送部
５      印刷部
６      蓄積部
７      操作部
８      ＣＰＵ
９      ＲＯＭ
１０    フラッシュメモリ
１１    ＲＡＭ
１２    画面表示モード切替手段
１３    画面表示モード記憶手段
２０    表示パネル
２１    ファンクションキー
２２    電源ボタン
２３    画面表示切替ボタン
３０    トップエリア
３１    センターエリア
３２    サイドエリア
３３    ボトムエリア
４０    ウィンドウ
５０    使用モード識別領域
６０    通常画面表示モード用領域
７０    簡単画面表示モード用領域
１００  複合機能画像形成装置
【図１】
2007060033.tif 000004
【図２】
2007060033.tif 000005
【図３】
2007060033.tif 000006
【図４】
2007060033.tif 000007
【図５】
2007060033.tif 000008
【図６】
2007060033.tif 000009
【図７】
2007060033.tif 000010
【図８】
2007060033.tif 000011